(57)【要約】【課題】  屋根に存在する各取り合い部における部材の共有化を図ることが可能な納め部材および納め構造を提供すること。【解決手段】  納め部材では、下納め材２と上納め材３からなり、下納め材２は、左右のいずれか一側に固定部２ａを、他側に被嵌合係止部２ｂを並設し、上納め材３は、一側に押え部３ａを、他側に嵌合係止部３ｂを前記被嵌合係止部２ｂに嵌合係止して一体化可能に並設している。そして、前記した納め部材１を用いた納め構造では、下地７に下納め材２をその固定部２ａを固定具８で固定し、この下納め材２における被嵌合係止部２ｂに上納め材３の嵌合係止部３ｂを嵌合係止し、押え部３ａまたは嵌合係止状態の嵌合係止部３ｂと被嵌合係止部２ｂにより形成した側壁部４で外装材９端部を保持してある。【選択図】  図３
2006169801.tif 000002
【特許請求の範囲】
【請求項１】
下納め材と上納め材からなり、
下納め材は、左右のいずれか一側に固定部を、他側に被嵌合係止部を並設し、
上納め材は、一側に押え部を、他側に前記被嵌合係止部に嵌合係止して一体化可能な嵌合係止部を並設していることを特徴とする納め部材。
【請求項２】
嵌合係止部および／または被嵌合係止部は、上下の複数段状に形成してあることを特徴とする請求項１記載の納め部材。
【請求項３】
請求項１記載の納め部材を用いた納め構造であって、
下地に下納め材をその固定部を固定具で固定し、
この下納め材における被嵌合係止部に上納め材の嵌合係止部を嵌合係止し、
押え部または嵌合係止状態の嵌合係止部と被嵌合係止部により形成した側壁部で外装材端部を保持してあることを特徴とする納め構造。
【請求項４】
上納め材の押え部と外装材端部との間に止水材を介在してあることを特徴とする請求項３記載の納め構造。
【請求項５】
押え部および／または側壁部に化粧材を取り付けてあることを特徴とする請求項３または４記載の納め構造。
【発明の詳細な説明】
【技術分野】
【０００１】
本発明は下り棟、谷、ケラバ、壁立上り納め、壁ステ谷納め等の各種納めを構築するのに有用な納め部材および当該納め部材を用いた納め構造に関する。
【背景技術】
【０００２】
たとえば、特許文献１に記載されている「下り棟包み」がある。この「下り棟包み」の構成は、縦断面逆Ｔ字状の敷目板と、縦断面Ｔ字状の下り棟キャップとの２部材からなり、敷目板における起立状の嵌合部に下り棟キャップの垂下状の係止部を嵌合係止することで、縦断面略エ字状に一体化し、屋根材を下り棟において接続しているものである。
斯様に、この種の「部材（捨て板）」は、下り棟、谷、ケラバ等にそれぞれ用いられているが、各部位毎に専用の部材が個別に用意されるのが一般的であり、部材数が多くなるという問題を抱えている。
また、下り棟、谷、ケラバ、壁立上り納め、壁ステ谷納め等の各部位においても、異なる屋根面（壁面）同士の取り合いに用いられるため、その「面」同士の角度や「高さ」が同じとは限らないため、薄物を現場で加工（折り曲げ）する等しており、非常に手間のかかるものであった。
【特許文献１】特許２９９１４７６号
【発明の開示】
【発明が解決しようとする課題】
【０００３】
解決しようとする課題は、屋根に存在する各取り合い部における部材の共有化を図ることを目的とし、第１には、下り棟，谷，ケラバ，壁立上り納め，壁ステ谷納め等の各納めに共用可能である汎用品としての利便性を有する納め部材を、第２には、さらに、高さが異なる様々な外装材に対応可能である納め部材を、第３には、共通の納め部材を用いることにより経済的および施工性ともに有利である納め構造を、第４には、さらに、外装材の保持と雨仕舞の双方を同時に施工可能である納め構造を、第５には、さらに、化粧材で化粧されて意匠的価値が高い納め構造を提供することにある。
【課題を解決するための手段】
【０００４】
本発明は前記した課題を達成するため、納め部材では以下の構成にしたことを特徴とする。
１．下納め材と上納め材からなり、下納め材は、左右のいずれか一側に固定部を、他側に被嵌合係止部を並設し、上納め材は、一側に押え部を、他側に前記被嵌合係止部に嵌合係止して一体化可能な嵌合係止部を並設していることを特徴とする。
２．前記した１において、嵌合係止部および／または被嵌合係止部は、上下の複数段状に形成してあることを特徴とする。
そして、かかる納め部材を用いた納め構造では以下の構成にしたことを特徴とする。
３．前記した１記載の納め部材を用いた納め構造であって、下地に下納め材をその固定部を固定具で固定し、この下納め材における被嵌合係止部に上納め材の嵌合係止部を嵌合係止し、押え部または嵌合係止状態の嵌合係止部と被嵌合係止部により形成した側壁部で外装材端部を保持してあることを特徴とする。
４．前記した３において、上納め材の押え部と外装材端部との間に止水材を介在してあることを特徴とする。
５．前記した３または４において、押え部および／または側壁部に化粧材を取り付けてあることを特徴とする。
【０００５】
本発明における嵌合係止部と被嵌合係止部の嵌合係止関係は、両者が嵌合係止することで上下の納め材の一体化をもたらし、押え部と固定部が上下或いは対角に対向し得るものであれば構造上の制限はない。この押え部と固定部が上下に対向するか或いは対角に対向するかは、上下の納め材のいずれか一方を水平周りに１８０度回転させることで済ませられる。嵌合係止部と被嵌合係止部の段数は、一段であってもよいし、複数段にしてあるものでもよい。また、嵌合係止部が一段で被嵌合係止部が複数段でもよいし、嵌合係止部が複数段で被嵌合係止部が一段でもよく、上下の嵌合深さを調整可能にすることで、外装材の高さに対応し得るものであればよい。
押え部または側壁部による外装材端部の保持は、押え部で外装材端部を上側から押えて保持してあってもよいし、側壁部に外装材端部を固定具により固定して保持してあるものでもよい。また、押え部で外装材端部を保持する場合、押え部と固定部間に外装材端部を保持するようにしてもよいし、押え部と下地側間に外装材端部を保持するようにしてもよい。
化粧材の取り付けは、押え部先端の被係止部に化粧材の係止部を係止して取り付けるようにしてもよいし、側壁部の取付面部に化粧材を固定具で止着して取り付けるようにしてもよいし、押え部先端の被係止部に化粧材の係止部を係止し且つ側壁部の取付面部に固定具で止着して取り付けてあるものであってもよい。
【発明の効果】
【０００６】
Ａ．請求項１により、屋根に存在する各取り合い部における部材の共有化を図ることができ、下り棟、谷、ケラバ、壁立上り納め、壁ステ谷納め等の各納めに共用可能である汎用品としての利便性を有する。
したがって、部材数を削減でき、製作コストが安価に済む。
Ｂ．請求項２により、さらに、高さが異なる様々な外装材に対応することができる。
Ｃ．請求項３により、下り棟、谷、ケラバ、壁立上り納め、壁ステ谷納め等の各納めを、共通の納め部材を用いることで経済的および施工性ともに有利に構築できる。
Ｄ．請求項４により、さらに、外装材の保持と雨仕舞の双方を同時に施工することができる。
Ｅ．請求項５により、さらに、化粧材で化粧されていて意匠的価値が高い。
【発明を実施するための最良の形態】
【０００７】
図１および図２には本発明の納め部材における実施の１形態を例示している。
納め部材１は、それぞれ押出し成形した金属製の長尺で別体の下納め材２と上納め材３からなり、下納め材２は、右側に固定部２ａを、左側に被嵌合係止部２ｂを、平行状に並設してある。固定部２ａ内面には、３本のリブ２ｃを平行状に端から端まで突設してある。この各リブ２ｃは、左右間隔をほぼ等間隔状にし、リブ高さをビス等の固定具８における頭部分と同じ或いは若干高くすることにより、固定部２ａを下地７に固定する際に固定具８頭部分がリブ２ｃ上に突出しないようにし、リブ２ｃ上に外装材たとえば屋根材９端部が載乗し得るように形成してある。
被嵌合係止部２ｂは、左右一対の起立部２ｄ内面に上下の複数段の被係止鍔部２ｅを左右対称状に突設して形成してあり、この上下のいずれかの被係止鍔部２ｅに嵌合係止部３ｂの係止鍔部３ｆが係止することで、下納め材２と上納め材３が一体化し得るようにしてあると共に外装材保持空間部５高さ或いは外装材押え空間部６高さを屋根材９の高さに応じて高さ調整可能に形成してある。
【０００８】
上納め材３は、右側に押え部３ａを、左側に嵌合係止部３ｂを、平行状に並設してある。押え部３ａは、この押え部３ａが固定部２ａと上下に対向するように嵌合係止部３ｂを被嵌合係止部２ｂに嵌合係止して一体化した状態（上下対向嵌合関係）で、固定部２ａとの間に外装材保持空間部５を形成可能にしてある。また、押え部３ａは、この押え部３ａが固定部２ａと対角に対向するように嵌合係止部３ｂを被嵌合係止部２ｂに嵌合係止して一体化した状態（対角対向嵌合関係）で、押え部３ａ下側に外装材押え空間部６を形成可能にしてある。
押え部３ａ下面における左右幅方向のほぼ中間部位には押えリブ３ｃを垂設し、発泡ゴム等の止水材１３が外装材保持空間部５或いは外装材押え空間部６から抜け外れないように保持可能に形成してある。
また、押え部３ａ先端には被係止部３ｄを延設し、この被係止部３ｄに化粧材たとえばケラバ包み材１０あるいは下り棟カバー材１１等の係止部１０ａ、１１ａが係止可能に形成してある。
【０００９】
嵌合係止部３ｂは、左右一対の垂下部３ｅ外面に係止鍔部３ｆを左右対称状に突設し、この係止鍔部３ｆを上下のいずれかの被係止鍔部２ｅに係止することにより、被嵌合係止部２ｂに嵌合係止して適宜嵌合深さに一体化可能に形成してある。
そして、下納め材２と上納め材３が一体化した納め部材１における嵌合係止状態の嵌合係止部３ｂと被嵌合係止部２ｂの起立部２ｄおよび垂下部３ｅで形成される側壁部４は、外側面を取付面部４ａとし、この取付面部４ａに化粧材たとえばケラバ包み材１０あるいは雨押え材１４等をビス等の固定具１２で止着可能に形成してある。
【００１０】
図３には本発明の納め構造における実施の1形態として、前記した図１の納め部材を採用したケラバ構造の１形態を例示している。
ケラバの下地７に下納め材２を被嵌合係止部２ｂが外側になるように配設し、固定部２ａにおけるリブ２ｃ間に固定具８を通して下地７に固定してある。固定具８の頭部分はリブ２ｃ上に突出しておらず、屋根材９端部がリブ２ｃ上に安定して載置されるのを妨げない。この下納め材２における固定部２ａ上には屋根材９端部を載せてリブ２ｃ上に載置してある。
かかる下納め材２における被嵌合係止部２ｂには、下納め材２に対して上納め材３が上下対向嵌合関係になるように、上納め材３の嵌合係止部３ｂを嵌合係止し、押え部３ａで屋根材９端部を上側から押えて外装材保持空間部５に保持してある。この外装材保持空間部５における屋根材９の端部と押え部３ａとの間には発泡ゴム等の止水材１３を介在してあり、屋根材９表面側から裏面側への浸水を阻止してある。止水材１３は押えリブ３ｃで抜止することにより外装材保持空間部５から抜け外れないようにして浸水阻止能力を確保してある。
そして、一体化した納め部材１における側壁部４の取付面部４ａにはケラバ包み材１０をビス等の固定具１２で止着し、ケラバ包み材１０の係止部１０ａを上納め材３の被係止部３ｄに係止して取り付けてある。
【００１１】
図４には本発明の納め構造における実施の1形態として、前記した図１の納め部材を採用した下り棟納め構造の１形態を例示している。
棟の下地７に左右の下納め材２を被嵌合係止部２ｂが棟側になるようにそれぞれ配設し、固定部２ａにおけるリブ２ｃ間に固定具８を通して下地７に固定してある。固定具８の頭部分はリブ２ｃ上に突出しておらず、縦葺屋根材１６端部がリブ２ｃ上に安定して載置されるのを妨げない。この左右の下納め材２における固定部２ａ上には高さが低い縦葺屋根材１６端部をそれぞれ載せてリブ２ｃ上に載置してある。
かかる左右の下納め材２における被嵌合係止部２ｂには、下納め材２に対して上納め材３が上下対向嵌合関係になるように、それぞれ上納め材３の嵌合係止部３ｂを嵌合係止し、押え部３ａで縦葺屋根材１６端部を上側から押えて外装材保持空間部５に保持してある。左右の外装材保持空間部５における縦葺屋根材１６の端部と押え部３ａとの間には発泡ゴム等の止水材１３をそれぞれ介在してあり、縦葺屋根材１６表面側から裏面側への浸水を阻止してある。止水材１３は押えリブ３ｃで抜止することにより外装材保持空間部５から抜け外れないようにして浸水阻止能力を確保してある。
そして、左右のそれぞれ一体化した納め部材１における被係止部３ｄには下り棟カバー１１左右側縁の係止部１１ａをそれぞれ係止して取り付けて覆設してある。
【００１２】
図５には本発明の納め構造における実施の1形態として、前記した図１の納め部材を採用した下り棟納め構造の他の１形態を例示している。
棟の下地７に左右の下納め材２を被嵌合係止部２ｂが棟側になるようにそれぞれ配設し、固定部２ａにおけるリブ２ｃ間に固定具８を通して下地７に固定してある。固定具８の頭部分はリブ２ｃ上に突出しておらず、縦葺屋根材１７端部がリブ２ｃ上に安定して載置されるのを妨げない。この左右の下納め材２における固定部２ａ上にはそれぞれ高さが高い縦葺屋根材１７端部を載せてリブ２ｃ上に載置してある。
かかる左右の下納め材２における被嵌合係止部２ｂには、下納め材２に対して上納め材３が上下対向嵌合関係になるように、それぞれ上納め材３の嵌合係止部３ｂを嵌合係止し、押え部３ａで縦葺屋根材１７端部を上側から押えて外装材保持空間部５に保持してある。左右の外装材保持空間部５における縦葺屋根材１７の端部と押え部３ａとの間には発泡ゴム等の止水材１３をそれぞれ介在してあり、縦葺屋根材１７表面側から裏面側への浸水を阻止してある。止水材１３は押えリブ３ｃで抜止することにより外装材保持空間部５から抜け外れないようにして浸水阻止能力を確保してある。
そして、左右のそれぞれ一体化した納め部材１における被係止部３ｄには下り棟カバー１１左右側縁の係止部１１ａをそれぞれ係止して取り付けて覆設してある。
【００１３】
図６には本発明の納め構造における実施の1形態として、前記した図１の納め部材を採用した下り棟納め構造の他の１形態を例示している。
棟の下地７に敷設された左右の横葺屋根材１８上に左右の下納め材２を被嵌合係止部２ｂが軒側になるようにそれぞれ配設し、固定部２ａにおけるリブ２ｃ間に固定具８を通して横葺屋根材１８ともども下地７に固定してある。
かかる左右の下納め材２における被嵌合係止部２ｂには、下納め材２に対して上納め材３が対角対向嵌合関係になるように、それぞれ上納め材３の嵌合係止部３ｂを嵌合係止し、押え部３ａで横葺屋根材１８端部を上側から押えて外装材押え空間部６に保持してある。左右の外装材押え空間部６における横葺屋根材１８部分と押え部３ａとの間には発泡ゴム等の止水材１３をそれぞれ介在してあり、横葺屋根材１８表面側から裏面側への浸水を阻止してある。止水材１３は押えリブ３ｃで抜止することにより外装材押え空間部６から抜け外れないようにして浸水阻止能力を確保してある。
そして、左右のそれぞれ一体化した納め部材１における押え部３ａ先端部分には下り棟カバー１９左右側縁をビス等の固定具１５で止着して取り付けて覆設してある。
【００１４】
図７には本発明の納め構造における実施の1形態として、前記した図１の納め部材を採用した谷納め構造の１形態を例示している。
谷の下地７上に左右の下納め材２を被嵌合係止部２ｂが谷底側になるようにそれぞれ配設し、固定部２ａにおけるリブ２ｃ間に固定具８を通して下地７に固定してある。固定具８の頭部分はリブ２ｃ上に突出しておらず、横葺屋根材２０端部がリブ２ｃ上に安定して載置されるのを妨げない。この左右の下納め材２における固定部２ａ上にはそれぞれ横葺屋根材２０端部を載せてリブ２ｃ上に載置してある。
かかる左右の下納め材２における被嵌合係止部２ｂには、下納め材２に対して上納め材３が上下対向嵌合関係になるように、それぞれ上納め材３の嵌合係止部３ｂを嵌合係止し、押え部３ａで横葺屋根材２０端部を上側から押えて外装材保持空間部５に保持してある。左右の外装材保持空間部５における横葺屋根材２０部分と押え部３ａとの間には発泡ゴム等の止水材１３をそれぞれ介在してあり、横葺屋根材２０表面側から裏面側への浸水を阻止してある。止水材１３は押えリブ３ｃで抜止することにより外装材保持空間部５から抜け外れないようにして浸水阻止能力を確保してある。
そして、左右のそれぞれ一体化した納め部材１における被係止部３ｄには谷カバー２１左右側縁の係止部２１ａをそれぞれ係止して取り付けて覆設してある。
【００１５】
図８には本発明の納め構造における実施の１形態として、前記した図１の納め部材を採用した壁立上り納め構造の１形態を例示している。
壁立上りの下地７上に下納め材２を被嵌合係止部２ｂが軒側になるように配設し、固定部２ａにおけるリブ２ｃ間に固定具８を通して下地７に固定してある。
かかる下納め材２における被嵌合係止部２ｂには、下納め材２に対して上納め材３が上下対向嵌合関係になるように、上納め材３の嵌合係止部３ｂを嵌合係止してある。この一体化した納め部材１の側壁部４における外側面の取付面部４ａには、横葺屋根材２２の水上側端縁２２ａと雨押え材１４の水下側端縁１４ａを隣接した状態にビス等の固定具１２で止着してある。
雨押え材１４は上納め材３に載乗した状態に受支され、雨押え材１４の水上側側縁１４ｂは外壁材２３が取り付けられた壁下地２４に止着してある。雨押え材１４の水下側端縁１４ａと横葺屋根材２２の水上側端縁２２ａ間にはシート状防水材２５を介在させて雨仕舞することで浸入阻止能力をもたせてある。このシート状防水材２５は雨押え材１４裏面から外壁材２３裏側の壁下地２４まで延びている。
【００１６】
図９には本発明の納め構造における実施の1形態として、前記した図１の納め部材を採用した壁ステ谷納め構造の１形態を例示している。
壁ステ谷の下地７に配設した壁捨谷捨板２６上に両面テープ２７で下納め材２を被嵌合係止部２ｂが壁下地２４側になるように貼着して固定してある。この下納め材２における固定部２ａ上には縦葺屋根材２８端部を載せてリブ２ｃ上に載置してある。
かかる下納め材２における被嵌合係止部２ｂには、下納め材２に対して上納め材３が上下対向嵌合関係になるように、上納め材３の嵌合係止部３ｂを嵌合係止し、押え部３ａで縦葺屋根材２８端部を上側から押えて外装材保持空間部５に保持してある。外装材保持空間部５における縦葺屋根材２８部分と押え部３ａとの間には発泡ゴム等の止水材１３を介在してあり、縦葺屋根材２８表面側から裏面側への浸水を阻止してある。止水材１３は押えリブ３ｃで抜止することにより外装材保持空間部５から抜け外れないようにして浸水阻止能力を確保してある。
そして、一体化した納め部材１における被係止部３ｄには雨押え材２９側縁の係止部２９ａを係止して取り付けて覆設してある。雨押え材２９の水上側側縁２９ｂは外壁材２３が取り付けられた壁下地２４に止着してある。
【００１７】
前記した図３〜９における被嵌合係止部２ｂに対する嵌合係止部３ｂの嵌合深さは、外装材の高さに応じて調整することになり、外装材の高さが低ければ嵌合深さは深くなるし、外装材の高さが高ければ嵌合深さは浅くなる。そのため、起立部２ｄ内面における被係止鍔部２ｅの上下の段数は多いのが望ましく、外装材保持空間部５高さ或いは外装材押え空間部６高さを微調整可能になり、異なる高さの外装材に対応し得ることになる。また、この嵌合深さは、押え部３ａに押圧される止水材１３が外装材端部表面と押え部３ａ裏面に弾性的に圧接する度合を調整することになり、水密性が保たれて雨仕舞される。
【図面の簡単な説明】
【００１８】
【図１】本発明の納め部材における実施の１形態を例示している斜視図。
【図２】分解斜視図。
【図３】本発明の納め構造における実施の1形態としてケラバ納め構造を例示している縦断側面図。
【図４】本発明の納め構造における実施の1形態として下り棟納め構造を例示している縦断側面図。
【図５】本発明の納め構造における実施の1形態として他の下り棟納め構造を例示している縦断側面図。
【図６】本発明の納め構造における実施の1形態として他の下り棟納め構造を例示している縦断側面図。
【図７】本発明の納め構造における実施の1形態として谷納め構造を例示している縦断側面図。
【図８】本発明の納め構造における実施の1形態として壁立上り納め構造を例示している縦断側面図。
【図９】本発明の納め構造における実施の1形態として壁ステ谷納め構造の１形態を例示している。
【符号の説明】
【００１９】
１  納め部材
２  下納め材
２ａ  固定部
２ｂ  被嵌合係止部
２ｃ  リブ
２ｄ  起立部
２ｅ  被係止鍔部
３  上納め材
３ａ  押え部
３ｂ  嵌合係止部
３ｃ  押えリブ
３ｄ  被係止部
３ｅ  垂下部
３ｆ  係止鍔部
４  側壁部
４ａ  取付面部
５  外装材保持空間部
６  外装材押え空間部
７  下地
８，１２，１５  固定具
９  屋根材（外装材）
１０  ケラバ包み材（化粧材）
１０ａ，１１ａ，２１ａ，２９ａ  係止部
１１，１９  下り棟カバー（化粧材）
１３  止水材
１４，２９  雨押え材（化粧材）
１４ａ  水下側端縁
１４ｂ，２９ｂ  水上側側縁
１５  下地
１６，１７，２８  縦葺屋根材（外装材）
１８，２０，２２  横葺屋根材（外装材）
２１  谷カバー（化粧材）
２２ａ  水上側端縁
２３  外壁材
２４  壁下地
２５  シート状防水材
２６  壁捨谷捨板
２７  両面テープ
【図１】
2006169801.tif 000003
【図２】
2006169801.tif 000004
【図３】
2006169801.tif 000005
【図４】
2006169801.tif 000006
【図５】
2006169801.tif 000007
【図６】
2006169801.tif 000008
【図７】
2006169801.tif 000009
【図８】
2006169801.tif 000010
【図９】
2006169801.tif 000011